(57)【要約】【課題】被写体像が合焦状態にあるときに光学収差による画質の劣化を低減する安価な撮像装置を実現する。【解決手段】交換可能に取り付けられる撮影レンズ光学系の光束が結像する位置に配置され光電変換により画像データを取得する撮像素子と、レンズ光学系と撮像素子の間に光軸に対し傾斜して配置され入射する光束の一部を反射させて一部を透過させる光学素子と、撮像素子面で得られた画像データを用いて撮像素子面上の複数の分割範囲での焦点検出評価値を算出する焦点検出手段と、撮影レンズ光学系及び光学素子の光学情報に基づき撮像素子面での光学収差を算出する光学収差算出手段と、光学収差結果に基づき撮像素子面上の各分割範囲の重み付け係数を算出する重み付け係数算出手段と、焦点検出評価値を重み付け係数で補正した結果に基づいて焦点を合わせる分割範囲を決定する測距枠選択手段とを有する。【選択図】図１
2016024338.tif 000002
【特許請求の範囲】
【請求項１】
交換可能に取り付けられる撮影レンズ光学系と、
前記撮影レンズ光学系の光束が結像する位置に配置され光電変換により画像データを取得する撮像素子と、
前記レンズ光学系と前記撮像素子の間に前記レンズ光学系の光軸に対し傾斜して配置され入射する光束の一部を反射させて一部を透過させる光学素子と、
前記撮像素子面で得られた画像データを用いて前記撮像素子面上の複数の分割範囲での焦点検出評価値を算出する焦点検出手段と、
前記撮影レンズ光学系及び前記光学素子の光学情報に基づき前記撮像素子面での光学収差を算出する光学収差算出手段と、
前記光学収差結果に基づき前記撮像素子面上の各分割範囲の重み付け係数を算出する重み付け係数算出手段と、
前記焦点検出評価値を前記重み付け係数で補正した結果に基づいて焦点を合わせる分割範囲を決定する測距枠選択手段と、
を有することを特徴とする撮像装置。
【請求項２】
前記光学情報は少なくとも前記撮影レンズ光学系の射出瞳位置及び絞り値と前記光学素子の厚み、位置、屈折率を含むことを特徴とする請求項１に記載の撮像装置。
【請求項３】
前記光学素子がハーフミラーであることを特徴とする請求項１又は請求項２に記載の撮像装置。
【請求項４】
前記焦点検出手段が前記レンズ撮影光学系の光学構成位置を連続的に変化させた時の画像データを読込み、その時のコントラストの変化より焦点検出評価値を算出することを特徴とする請求項１乃至請求項３の何れか一項に記載の撮像装置。
【請求項５】
前記撮像素子の各画素内が少なくとも２つに分割されて１画素に集光する光束を複数に分割して受光することのできる分割画素群で構成され、前記分割画素の出力結果より位相差による焦点検出を行うことを特徴とする請求項１乃至請求項３の何れか一項に記載の撮像装置。
【請求項６】
前記撮像素子が第１の瞳領域を通過する光束を受光する第１の受光分布を有する第１の画素群と第２の瞳領域を通過する光束を受光する第２の受光分布を有する第２の画素群から構成され、前記第１の画素群と前記第２の画素群の出力結果より位相差による焦点検出を行うことを特徴とする請求項１乃至請求項３の何れか一項に記載の撮像装置。
【請求項７】
前記光学収差は一方向にのみ対称性を有する収差であることを特徴とする請求項１乃至請求項６の何れか一項に記載の撮像装置。
【請求項８】
前記光学素子を反射した光束を用いて被写体を観察可能なファインダ手段とを有することを特徴とする請求項１乃至請求項７の何れか一項に記載の撮像装置。
【請求項９】
交換可能に取り付けられる撮影レンズ光学系と、
前記撮影レンズ光学系の光束が結像する位置に配置され光電変換により画像データを取得する撮像素子と、
前記レンズ光学系と前記撮像素子の間に前記レンズ光学系の光軸に対し傾斜して配置され入射する光束の一部を反射させて一部を透過させる光学素子と、
前記光学素子を通過して撮像素子面で得られた画像データを用いて前記撮像素子面上の複数の分割範囲での焦点検出の為の焦点検出評価値を算出する焦点検出手段と、
前記撮影レンズ光学系及び前記光学素子の光学情報に基づき前記撮像素子面での光学収差を算出する光学収差算出手段と、
撮影者が焦点を合わせる前記分割範囲を指定することができる分割範囲指定手段と、
前記分割範囲指定手段で指定された分割範囲で光学収差が許容値以下になる前記レンズ光学系の絞り値を算出する許容絞り値算出手段と、
撮像時に前記許容絞り値よりも前記レンズ光学系の絞りを絞る自動絞り駆動手段と、を有することを特徴とする撮像装置。
【発明の詳細な説明】
【技術分野】
【０００１】
本発明は、静止画及び動画の撮影が可能である撮像装置に関するものである。
【背景技術】
【０００２】
光学ファインダにより動画を撮影する場合には、撮影レンズより入射した光束を光学ファインダへ向かう光束と撮像面へ向かう光束とに分割する必要がある。デジタル一眼レフカメラでは、ハーフミラーにより光路分割を行い、ハーフミラーを透過した光束が撮像面へ向かう構造が一般的である。
【０００３】
しかし、この場合には、ハーフミラーを透過することで撮影面において光学収差が発生し、画質の低下が懸念される。被写体像が非合焦状態にあるときは、比較的に画質の劣化の影響は感じにくいが、特に被写体像が合焦状態にあるときには被写体像の画質の劣化により違和感が生じる。
【０００４】
特許文献１ではハーフミラーの厚みを像高により変化させることで、光学的に収差を補正する提案がなされている。また、ハーフミラーとしてペリクルなどの薄膜材料を用いることで、収差の影響を極力低減した構造や、プリズムに反射面を設置したビームスプリッタにおいても上記の収差発生は抑えた構造も従来より提案されている。
【先行技術文献】
【特許文献】
【０００５】
【特許文献１】特開２００９-１４１５６０号公報
【発明の概要】
【発明が解決しようとする課題】
【０００６】
しかしながら、上述の従来技術では次のような課題がある。特許文献１では、ハーフミラーに対して、特殊な加工が必要であるため高価なカメラになってしまう。ペリクルを使用した場合には、薄膜であるため取り扱いが難しい。またプリズムは高価で重いため、小型で安価なカメラとはならない。
【０００７】
そこで、本発明は、被写体像が合焦状態にあるときに光学収差による画質の劣化を低減する安価な撮像装置を実現することを目的とする。
【課題を解決するための手段】
【０００８】
本発明に係る撮像装置の構成は、交換可能に取り付けられる撮影レンズ光学系と、前記撮影レンズ光学系の光束が結像する位置に配置され光電変換により画像データを取得する撮像素子と、前記レンズ光学系と前記撮像素子の間に前記レンズ光学系の光軸に対し傾斜して配置され入射する光束の一部を反射させて一部を透過させる光学素子と、前記撮像素子面で得られた画像データを用いて前記撮像素子面上の複数の分割範囲での焦点検出評価値を算出する焦点検出手段と、前記撮影レンズ光学系及び前記光学素子の光学情報に基づき前記撮像素子面での光学収差を算出する光学収差算出手段と、前記光学収差結果に基づき前記撮像素子面上の各分割範囲の重み付け係数を算出する重み付け係数算出手段と、前記焦点検出評価値を前記重み付け係数で補正した結果に基づいて焦点を合わせる分割範囲を決定する測距枠選択手段とを有することを特徴とする。
【発明の効果】
【０００９】
本発明によれば、デジタル一眼レフカメラのオートフォーカス機能を用いて測距及び撮影を行うときに、予め撮像面上の各測距枠位置での光学収差を算出し重み付け係数を求めておく。そして、測距動作により撮像面上の各測距枠における被写体像のＡＦ評価値を算出し、ＡＦ評価値に重み付け係数を掛けた値に基づいて、合焦させる被写体像の測距枠を選択する。これにより、安価なカメラでありながら、被写体像が合焦状態にあるときに光学収差による画質の劣化を低減することができる。
【図面の簡単な説明】
【００１０】
【図１】実施例１における一眼レフカメラの中央断面図
【図２】実施例１におけるハーフミラーで発生する収差を表す模式図
【図３】実施例１におけるハーフミラーによる光束の屈折を表す模式図
【図４】実施例１における周辺像高での収差を表す図
【図５】実施例１における撮像面の分割エリアと非点収差を表す模式図
【図６】実施例１におけるデフォーカスＭＴＦを表す模式図
【図７】実施例１における一眼レフカメラのブロック図
【図８】実施例１における測距動作を表すフローチャート
【図９】実施例１におけるフォーカスレンズ位置によるコントラスト値を表す模式図
【図１０】実施例１における画像データに変換した時の撮像面を表す模式図
【図１１】実施例２におけるフローチャート
【図１２】実施例２におけるデフォーカスＭＴＦを表す模式図
【発明を実施するための形態】
【００１１】
以下に、本発明の好ましい実施の形態を、添付の図面に基づいて詳細に説明する。
【００１２】
（実施例１）
以下、図１から図１０を参照して、本発明の第１の実施例による撮像装置について説明する。図1は第1の実施例におけるデジタル一眼レフカメラを表した中央断面模式図である。図１において、１００はカメラ２００に交換可能に装着された撮影レンズで、１０１はフォーカスレンズ群やズームレンズ群からなるレンズ部を示し、１０２aは撮影レンズ１００の光軸である。
【００１３】
２００はカメラ本体で、撮影レンズ１００の予定結像面付近には、光学ローパスフィルタや赤外カットフィルタ、さらにはCMOSセンサなどからなる光電変換素子を含む撮像手段であるところの撮像素子２０１が配置される。撮影レンズ１００と撮像素子２０１の間には、平行平板のガラス板などで形成された光学素子であるところのハーフミラー２０２が光軸１０２ａに対して斜めに傾けて配置される。ハーフミラー２０２は全面半透過性を有するミラーとなっており、撮影レンズ１００を通過した光束は上方のファインダ手段であるところの光学ファインダに導かれる反射光と撮像素子２０１に入射する透過光に分離される。
【００１４】
図における２０３〜２０５は本発明の光学ファインダを示し、ハーフミラー２０２の反射光は、マット面とフレネル面を備えるピント板２０３のマット面上に結像し、ペンタプリズム２０４、接眼光学系２０５を介して撮影者の目に導かれる。一方、透過光は撮像素子２０１で受光され、受光された光の強度信号はAD変換、画像処理部などを介して電子画像となる。なお、ハーフミラー２０２を通過した光軸１０２ａは、ハーフミラー２０２での屈折により紙面下方向にオフセットした光軸１０２ｂとなる。そこで、撮像素子２０１の中心はこの光軸１０２ａに対して一致するよう配置されている。
【００１５】
ところで、一般的に撮影レンズと撮像素子の間にガラス板など平板光学素子を斜めに配置した場合、撮像素子で得られる画像には大きな収差が発生してしまう。これは、レンズを通過した１本１本の光線が光学素子を通過する光路長方向の位置が異なるためであり、収差もその位置に応じて異なる。したがって、従来の一眼レフカメラにおいては、ハーフミラー２０２をクイックリターン機構により撮影時には撮影光束外へ退避させるのが一般的であった。
【００１６】
しかしながら、本発明では、図１のようにハーフミラー２０２を傾けて配置しており、撮影時にはハーフミラー２０２を透過した光束を用いている。そして、撮像素子２０１で得られる画像には収差が発生し、これは撮影レンズ１００の光学収差と異なり、軸対称性のない収差となる。
【００１７】
以上のように本発明では、撮像素子２０１で電子画像を撮影しながら光学ファインダでの被写体観察を行うことが可能な構成となっている。また、ハーフミラー２０２は固定されて配置しているため、従来の一眼レフカメラのように、撮影時にはハーフミラー２０２を撮影光束外へ退避させるクイックリターン機構を用いる必要がない。したがって、クイックリターン機構に用いる複雑なメカ構成が必要なくなり、コストダウンとコンパクト化が可能である。
【００１８】
図２（ａ）は、ハーフミラー２０２で生じる収差を説明するための図で、図１から説明に必要な部分のみを抽出している。図２（ａ）において、光線１１０ａ、１１０ｂは、物体側光軸１０２ａ上の１点を発し、レンズ部１０１を通過して撮像素子２０１の中心像高付近に結像する光束のうち最外部のみの光線を示したものである。光線１１０ｃは図１の光軸１０２と同様のものである。なお、レンズ部１０１を挟んで物体側の光線は省略している。
【００１９】
光線１１０ａ、１１０ｂ、１１０ｃは、ハーフミラー２０２の入射面で周知のスネルの法則に従い所定角度屈折し、ハーフミラー２０２中を直進する。その後、ハーフミラー２０２の射出面で再度スネルの法則に従い所定角度屈折し射出する。このとき、ハーフミラー２０２に対して入射する光線の角度と射出する光線の角度は等しくなる。これは、周知のように平行平板における光の屈折の原理原則である。なお、光軸１０２ａについても同様である。すなわち、ハーフミラー２０２を通過した光線は、角度は変化せず、平行シフトのみが生じることとなる。
【００２０】
図３は、上記光線の屈折を詳細に説明するための図で、空気中における平行平板の光の屈折を示す図である。図３において、２１０は平行平板で、１２０は平行平板２１０に入射する光線を示し、進行方向を矢印で示している。いま光線１２０は入射角度φで平行平板２１０の入射面２１０ａに入射し、スネルの法則に基づき光線１２０は屈折する。そして、屈折後は角度φ’で平行平板２１０中を直進する。その後、光線１２０は平行平板２１０の射出面２１０ｂで再度屈折し、入射角度φと同じ角度φで射出する。
【００２１】
そして、射出した光線は入射する光線に対してｄだけ平行シフトする。ここで、平行平板の板厚をt、空気の屈折率をｎ、平行平板２１０の屈折率をｎ’とすると、平行シフト量ｄは以下の数（１）で表すことができる。
【００２２】
【数１】
2016024338.tif 000003
【００２３】
上記式（１）より入射角度φが大きいほど、平行シフト量ｄも大きくなることが分かる。そこで、図２（ａ）において光線１１０ａ、光線１１０ｂ、光線１１０ｃの平行シフト量をそれぞれｄａ、ｄｂ、ｄｃとすると、ｄａよりｄｃが大きく、ｄｃよりｄｂが大きくなるという関係となる。これは、光線１１０ａ、光軸１０２ａ、光線１１０ｂがそれぞれハーフミラーに入射する角度が異なるためであり、入射角度は光線１１０ａより光線１１０ｃの方が大きく、光線１１０ｃより光線１１０ｂの方が大きいという関係になっている。
【００２４】
そうすると、光線１１０ａが光軸１０２ｂと交わる位置と、光線１１０ｂが光軸１０２ｂと交わる位置は、上記平行シフトの影響で一致せず、光線１１０ｂの方が光線１１０ａより図中右側で光軸１０２ａと交わることになる。これが、ハーフミラー２０２による収差の原因となっている。図２（ａ）では、２本の光線のみを用いて説明したが、実際には多数の光線により像は形成され、各光線が光軸１０２ｂ上で交わる位置は、図２の断面においてはすべて一致しない。図２（ｂ）は、図１の撮像素子２０１の中央像高付近Ｃを拡大した図で、結像する光線を示している。
【００２５】
図２（ｂ）において、２０１ａは撮像素子２０１の受光面近傍、すなわち、撮影レンズ１００の予定結像面を示し、予定決像面２０１ａには多数の光線が集まっている。しかしながら、図２（ａ）で説明したハーフミラー２０２による平行シフトの影響により、すべての光線が光軸１０２ｂ上で交わる位置が異なっており、理想的な結像となっていない。なお、実際の光線は紙面奥行き方向にも存在するためより複雑な収差が発生しているが、ハーフミラー２０２は光軸１０２ａに対して、図１の断面でのみ傾斜して配置されているため、紙面奥行き方向には対称性を有する収差となっている。
【００２６】
また、上記収差は式（１）から、平行平板２１０、すなわち、ハーフミラー２０２の屈折率によっても収差の状況は異なることとなる。したがって、波長によっても収差の状況は異なる。さらに、式（１）より、像高によって入射する光線の角度が異なるため、像高によっても収差の状況は異なる。図４は、周辺像高に到達する光線の収差を説明するための図である。図４において、光線１１１ａ、１１１ｂは撮像素子２０１の上側像高に結像する光線を示し、光線１１２ａ、１１２ｂは撮像素子２０１の下側像高に結像する光線をそれぞれ示す。
【００２７】
そして、それぞれの光線はハーフミラー２０２に入射する角度が異なるため、図３にて説明した原理原則から平行シフト量も異なり、光線１１１ａと１１１ｂ、光線１１２ａと１１２ｂでは異なる収差が発生している。また、上側像高と下側像高に結像する光線の平行シフト量は、図２で説明した撮像素子２０１の中央像高付近に結像する光線とも異なるため、図４における撮像素子２０１の上下方向においては非対称な収差が生じることとなる。なお、紙面奥行き方向においては前述した理由により、周辺像高においても対称性を有する収差となっている。また、周辺像高においても、波長によって収差の状況が異なることは言うまでもない。
【００２８】
図５（ａ）は撮像素子２０１のＸＹ平面２０１ａを表した模式図であり、撮像素子の像面上をＸ軸方向に５分割Ｙ軸方向に３分割しており、各分割エリアをＡ（ｘ,ｙ）であらわしている。各分割エリアＡ（ｘ,ｙ）は、後述する測距動作における測距枠に対応する。また、図５（ｂ）の像３１１〜３５３は各分割エリアＡ（ｘ，ｙ）の、ある光学系での非点収差像を示している。レンズ１００の光学系によって非点収差像は異なるが、上述したように光線のハーフミラー２０２への入射角度のより鋭角な像高上側の方、つまりＡ(x，１)の範囲の方が非点収差が大きくなることがわかる。
【００２９】
つまり非点収差が大きく発生する光学系によっては、像高が上側を焦点を合わせる被写体位置として合焦動作を行ったときに、被写体像に非点収差がのった違和感のある画質の劣化した画像が得られる。また、レンズ部１０１の射出瞳位置が撮像面２０１に近いほど、またレンズ部１０１の絞り値が大きいほど非点収差は大きくなる。
【００３０】
そこで、本発明では各分割エリアの非点収差を部１０１の光学情報及びハーフミラー２０２の光学情報により算出する。そして、求められた非点収差の大きさに応じて各分割エリアでの重み付け係数を求め、非点収差の大きな分割エリアが測距範囲として選択されるにくくすることで、画質の劣化を低減した違和感の少ない画像を得ることができる。
【００３１】
次に、重み付け係数の算出について述べる。図６は撮像素子２０１上でのデフォーカスＭＴＦであり、横軸にデフォーカス量、縦軸にＭＴＦを表しており、番号にａを付した実線はメリディオナル面のＭＴＦ、ｂを付した一点鎖線はサジタル面のＭＴＦを表している。図６（ａ）は、例として、レンズ部１０１の射出瞳位置が非常に遠く光線がテレセントリック光学系に近しい場合の撮像素子２０１中央でのデフォーカスＭＴＦを模式したものである。デフォーカス位置４１０ａはメリディオナル面ＭＴＦのピーク位置つまり、メリディオナル像面位置を示しており、４１０ｂは同様にサジタル像面位置を示している。
【００３２】
また、メリディオナル像面位置４００ａとサジタル像面位置４００ｂの差ｅ０を以下、メリサジ像面差と呼ぶ。図６（ａ）において、メリディオナル面ＭＴＦ４００ａとサジタル面ＭＴＦ４００ｂのずれは少なく、メリサジ像面差ｅ０は小さい。もしレンズ１００から撮像素子２０１の間にハーフミラー２０２がなく、光学収差のない理想的なレンズであれば、ＭＴＦ４００ａとＭＴＦ４００ｂは一致する。
【００３３】
一方、図６（ｂ）（ｃ）（ｄ）はそれぞれ、図５で示した分割エリアＡ（３，１）、Ａ（３，２）、Ａ（３，３）のデフォーカスＭＴＦを模式したものである。図６（ｂ）より分割エリアＡ（３，１）のメリサジ像面差ｅ１は、図６（ｄ）分割エリアＡ（３，３）のメリサジ像面差ｅ３より大きい。このメリサジ像面差を用いて、各分割エリアＡ（ｘ,ｙ）の重み付け係数を数（２）のように算出する。
【００３４】
【数２】
2016024338.tif 000004
【００３５】
Ｗｎは各分割エリアの重み付け係数を、ｅｎは各分割エリアでのメリサジ像面差を表し、添え字のｎはエリアを示す。Ｅはあらかじめ定めたメリサジ像面差閾値Ｅである。重みづけ係数Ｗｎは０から１の数値を持つ。
【００３６】
次に、本実施例の一眼レフカメラの動作について述べる。図７は第1の実施例におけるデジタル一眼レフカメラのブロック図である。図１と同様の機能を有するものには同様の番号を付す。レンズ１００のレンズ部１０１及びハーフミラー２０２を介して撮像素子２０１に結像した光は、撮像素子２０１で光電変換され、Ａ/Ｄ変換器２２１でデジタル化し、画像処理回路２２２に入力する。画像処理回路２２２は、Ａ／Ｄ変換器２２１からの画像データを処理する回路であり、ホワイトバランス回路、ガンマ補正回路、及び、補間演算による高解像度化を行う補間演算回路等を有する。
【００３７】
記録処理装置２２３は、メモリ装置２２４に画像データを出力するとともに、画像表示装置２２７に出力すべき画像の画像データを生成し保存する。また、メモリ装置２２４内には、一眼レフカメラ２００の設定、光学情報等が記録されており、その中にハーフミラー２０２の光学情報も含まれる。ハーフミラー２０２の光学情報とは、ハーフミラー２０２の屈折率、厚み、撮像素子２０１からの傾斜角度を含む相対位置などである。また、記録処理装置２２３は、所定の方法で画像データをデータ圧縮し、記録媒体に記録する手段である。
【００３８】
一方、ハーフミラー２０２で反射された光線は光学ファインダ２０６に導かれる。撮影者は、光学ファインダ２０６に導かれた光学像を接眼光学系２０５を介して見るか、撮像素子２０１に結像したのちデジタル化され画像表示装置２０７に出力された画像を見ることとなる。
【００３９】
制御系は、外部操作に連動して撮像系、画像処理系及び記録再生系をそれぞれ制御する。例えば、操作部２２８により撮影者の操作が検出されると、カメラ制御部２０６は、この検出出力に応じて、撮像素子２０１の駆動、画像処理回路２２２の動作、及び記録処理装置２２４の圧縮処理などを制御する。
【００４０】
レンズ制御部１０３は、電気接点２０８を介してカメラ制御部２０７からの制御信号に応じて、レンズ制御部１０３はフォーカスレンズ駆動部１０４ａ及び絞り駆動部１０４ｃにそれぞれフォーカスレンズ群及び絞りを駆動させる。レンズ制御部１０３には、不図示の手ブレ検出センサが接続する。手ぶれ補正モードでは、レンズ制御部１０３は、手ブレ検出センサの検出出力に従いブレ補正駆動部１０４ｂを制御して手ブレを軽減させる。
【００４１】
光学収差算出手段２２５はレンズメモリ１０５に記録されたレンズ部１０１の光学情報を読み込む。具体的には、レンズ部１０１の射出瞳位置、絞り値である。射出瞳位置の情報は、レンズ部１０１の光学構成ごと、つまりレンズ部１０１のおける不図示の各ズームレンズ位置、各フォーカスレンズ群位置ごとにテーブルデータとして記録されている。
【００４２】
さらに、レンズ部１０１の光学情報と、ハーフミラー２０２の光学情報とを用いて想像素子２０１上での光学収差を算出する。焦点検出部２２６はフォーカスレンズ駆動部１０４ａの駆動量と撮像素子２０１から出力される連続的な画像信号を用いて、いわゆる山登り方式またはコントラストＡＦ方式と呼ばれる焦点検出方法で測距を行う。測距動作の詳細については後述する。また、カメラ制御部１０７は、撮像素子２０１から出力される画像信号を用いて、被写体の輝度を算出し、絞り１０４ｃを調節する。
【００４３】
図８の第1の実施例の測距動作を表すフローチャートである。フローが開始されると、まずステップＳ１００１では、非点収差算出部２２５においてレンズメモリ１０５及びメモリ装置２２４から、レンズ部１０１とハーフミラー２０２の光学情報を読込む。前述したように、光学情報とはレンズ部１０１の射出瞳位置、絞り値と、ハーフミラー２０２の屈折率、厚み、撮像素子２０１からの傾斜角度を含む相対位置である。
【００４４】
次に、ステップＳ１００２ではステップＳ１００１で読込んだ光学情報より、撮像素子２０１の各分割エリアＡ（ｘ、ｙ）での非点収差を求める。算出する非点収差は、図６のようにメリディオナル面とサジタル面それぞれのデフォーカスＭＴＦとして示される。次にステップＳ１００３では、算出したデフォーカスＭＴＦより、各分割エリアＡ（ｘ，ｙ）でのメリサジ像面差ｅnを求める。次にステップＳ１００４では、算出したメリサジ像面差ｅｎより数（２）に基づき各分割エリアＡ（ｘ、ｙ）での重み付け係数Ｗｎを算出する。
【００４５】
次に、ステップＳ１００５でカメラ制御部２０７から測距動作命令を受ける。ステップＳ１００６では、測距動作命令を受けるとフォーカスレンズ群を至近端位置から無限端位置まで駆動をさせ、各位置での画像信号を読込むサーチ駆動をさせる。そして、各分割エリアＡ（ｘ,ｙ）における、フォーカスレンズ群位置に対する画像のコントラストの変化を図９で示すように求める。
【００４６】
図９は横軸にフォーカスレンズ群位置、縦軸に画像のコントラスト値をとっており、５０１はコントラストの変化である。コントラスト値のピークがコントラスト閾値を超えていれば、そのフォーカスレンズ位置５０２が合焦候補位置とされる。これを各分割エリアＡ（ｘ，ｙ）について行い、各コントラスト値ピークの位置Ｄｎが記録される。添え字のｎは分割エリアの位置を示す。
【００４７】
一方、コントラスト値のピークが閾値を超えない場合は、その分割エリアに焦点を合わせる被写体がないものとし、Ｄｎ値はなしとする。算出したコントラストピーク位置Ｄｎを測距枠位置選択の為のＡＦ評価値を求めるのに用いる。ステップＳ１００７では、各エリアのコントラストＡＦ評価値Ｌｎを求める。本実施例では、各分割エリアＡ（ｘ，ｙ）においてピーク位置Ｄｎが最も至近側にある場合がコントラストＡＦ評価値が最大値Ｌｍａｘとなり、無限端側に近づくにつれコントラストＡＦ評価値が低くなるように設定されている。
【００４８】
無限端側でのコントラストＡＦ評価値Ｌｍｉｎは少なくとも０より大きく設定する。ピーク位置Ｄｎに基づき、ＬｍｉｎからＬｍａｘの間でコントラストＡＦ評価値Ｌｎが算出される。ステップＳ１００６においてピーク位置Ｄｎなしとなっていた場合は、コントラストＡＦ評価値Ｌｎは０とする。
【００４９】
次に、ステップＳ１００８ではステップＳ１００４で光学情報により求めた重み付け係数ＷｎとコントラストＡＦ評価値Ｌｎより重み付けＡＦ評価値ＬＷｎを求める。各分割エリアＡ（ｘ，ｙ）のコントラストＡＦ評価値Ｌｎに、対応するエリアの重み付け係数Ｗｎを掛けて、重み付けＡＦ評価値ＬＷｎを求める。
【００５０】
ステップＳ１００９では、算出した重み付けＡＦ評価値ＬＷｎが最も高い分割エリアＡ（ｘ，ｙ）を測距枠位置として選択する。ステップＳ１０１０では、カメラ制御部２０７からフォーカスレンズ駆動１０４ｂに駆動命令をだし、ステップＳ１００９で選択された分割エリアＡ（ｘ，ｙ）位置でのコントラストピーク位置Ｄｎまでフォーカスレンズ群を駆動させ、フローを終了する。
【００５１】
実際に図１０（ｂ）のような画像が撮像された場合を例に測距動作について説明する。図１０は撮像素子２０１で電気変換され取り込まれた画像のＸＹ平面２０１ｂであり、レンズ１００を介した光学像は反転して撮像面に結像するため、図５のＸＹ平面２０１ａから座標系が反転している。図１０（ａ）は各分割エリアＡ（ｘ，ｙ）とそれぞれのエリアの重み付け係数Ｗｎが示されている。図１０（ｂ）は風景が撮影された時の画像であり、各エリアは図１０（ａ）の分割エリアＡ（ｘ、ｙ）に対応している。
【００５２】
図１０（ｂ）の風景画では、画面の下側つまりＡ（１，１）〜Ａ（５，１）の範囲に撮影した一眼レフカメラ２０1０から近接した被写体として木６０１、６０２など存在する。一方、画面の中央から上側つまりＡ（１，２）〜Ａ（５，２）及びＡ（１，３）〜Ａ（４，３）の範囲には、遠方の被写体としてビル６１１〜６１４が存在する。コントラストＡＦ評価値Ｌｎは、近接している木６０１がある分割エリアＡ（１，１）で高くなる。
【００５３】
しかし、レンズ部１０１の光学構成によっては、そのエリアでの光学収差が大きいため、重み付け係数Ｗｎが小さくなる。そして、分割エリアＡ（１，１）では重み付けＡＦ評価値ＬＷｎはさがり、一方やや遠方にビル６１１が存在し光学収差の少ない分割エリアＡ（１，３）が選択測距枠位置として選択される。このように測距枠位置を選択することで、被写体像が合焦状態にあるときに光学収差による画質の劣化を低減することができる。
【００５４】
以上述べたように、本発明では安価なカメラでありながらも、被写体像が合焦状態にあるときに光学収差による画質の劣化を低減することができる。
【００５５】
本実施例では、コントラストＡＦ評価値としてフォーカスレンズ位置、つまり被写体像の距離を用いたが、その他の要素をコントラストＡＦ評価値として用いても良い。例えば、各フォーカスレンズ位置で算出されたコントラスト値のピークの値そのものを用いるなどが挙げられる。
【００５６】
また、本実施例では撮像素子２０１の分割エリアをＸ軸方向に５分割、Ｙ軸方向に３分割をして行ったが、より細かく分割しても良いし、分割数を減らしても良い。例えば、本実施例におけるハーフミラー２０２の配置では、Ｙ軸方向の位置による光学収差の変化の方がＸ軸方向の位置による光学収差の変化に比べて大きい。そこで、Ｙ軸方向の分割数を５分割など細かくし、Ｘ軸方向の分割数をなくして各分割エリアの非点収差を算出しても良い。分割数を減らすことで、非点収差算出時の演算負荷を減らすことができる。
【００５７】
また、本実施例の光学構成では、非点収差は撮像素子２０１中央のＹ軸を対称軸とし線対称に発生する。そこで、対称になる分割エリアの重み付け係数は一方のみを算出し、もう一方は同じ値を用いてよい。これにより、非点収差算出時の演算負荷を減らすことができる。
【００５８】
また、本実施例では光学系のフォーカスレンズ位置を変えていった時の連続的な画像信号を用いて、画像のコントラスト値から焦点検出位置を求めるに焦点検出方法を用いたが、その他の焦点検出方式を用いても良い。本発明は、撮像素子２０１の面上の複数の位置で測距を行う方式で自動で測距枠範囲が選択する場合には適応可能である。例えば、特開昭５８−２４１０５では、撮像素子２０１の１画素内を複数に分割して、各分割した画素の情報よりいわゆる位相差焦点検出を行う方式について述べているが、このような焦点検出方法にも本実施例の方式は有効である。
【００５９】
（実施例２）
以下、図１１、図１２を参照して、本発明の第２の実施例による撮像装置について説明する。第２の実施例において第１の実施例同じ動作をするものについては同じ番号を付した。第２の実施例による一眼レフカメラの構成は第１の実施例の図１及び図７と同じ為省略する。
【００６０】
第１の実施例では、撮像素子２０１面の各分割エリアにおける光学収差を考慮して、測距枠位置を選択していたが、第２の実施例では撮影者が測距枠位置を選択できる。この時、カメラ２００は絞り値を自動設定するモードとなっている。
【００６１】
図１１は第２の実施例における一眼レフカメラ２００の測距動作を表すフローチャートである。フローの開始からステップＳ２００３までは、第１の実施例の図８の開始からステップＳ１００３と同様の為、説明を省略する。ステップＳ２００４では、撮影者から操作部２２８により測距枠位置が指定されると共に測距動作の命令を受ける。
【００６２】
ステップＳ２００５では、指定された測距枠位置における許容絞り値を算出する。図１２は指定された測距枠位置でのデフォーカスＭＴＦを模式した図である。軸や実線、一点鎖線などの意味は第１の実施例の図６と同様である。図１２（ａ）は、レンズ部１０１の絞りが開放状態にあるときのデフォーカスＭＴＦである。このエリアにおいて、メリサジ像面差ｅｎが予め定めた許容像面差Ｅｔより大きいかを判断する。
【００６３】
メリサジ像面差ｅｎが許容像面差Ｅｔより大きい時は、許容像面差Ｅｔ以下になるような絞り値の設定を探す。検索された絞り値を許容絞り値Ｆｔとする。図１２（ｂ）は図１２（ａ）と同じ分割エリアにおけるメリサジ像面差ｅｎが許容像面差Ｅｔ以下になるまで絞り値を許容絞り値Ｆｔまで絞った時のデフォーカスＭＴＦである。レンズ部１０１の絞りの口径を小さくすることで、射出瞳から撮像素子２０１に結像する光束が少なくなるので、結果として非点収差は小さくなる。
【００６４】
次に、ステップＳ２００６では算出された許容絞り値まで絞りを絞るように、絞り駆動部１０４ｃを駆動させる。次に、ステップＳ２００７ではフォーカスレンズ駆動部１０４ａによりフォーカスレンズ群を至近端位置から無限端位置まで駆動をさせ、各位置での画像信号を読込むサーチ駆動をさせる。ステップＳ２００８では読込んだ画像より、撮影者が選択した分割エリアについてのみのコントラスト値を算出し、コントラストのピークのフォーカスレンズ位置Ｄｎを求める。この位置がステップＳ２００９では、求めたフォーカスレンズ位置Ｄｎを合焦位置とみなし、フォーカスレンズ群をＤｎまで移動させる。そして、測距動作のフローを終了する。
【００６５】
以上、説明したように第２の実施例では、非点収差が許容範囲になる絞り値を算出し、算出した絞り値まで絞りを駆動させる。これにより、撮影者が焦点を合わせたい分割エリアを指定した場合でも画質の劣化を低減した画像を提供することができる。
【符号の説明】
【００６６】
１００  レンズ、１０１  レンズ部、１０２  光軸、１０３  レンズ制御部、
１０５  レンズメモリ、２００  カメラボディ、２０１  撮像素子、
２０２  ハーフミラー、２０３  ピント板、２２１  Ａ／Ｄ変換器、
２２２  画像処理回路、２２４  メモリ装置、２２５  光学収差算出部、
２２６  焦点検出部、２２７  画像表示装置
【図１】
2016024338.tif 000005
【図２】
2016024338.tif 000006
【図３】
2016024338.tif 000007
【図４】
2016024338.tif 000008
【図５】
2016024338.tif 000009
【図６】
2016024338.tif 000010
【図７】
2016024338.tif 000011
【図８】
2016024338.tif 000012
【図９】
2016024338.tif 000013
【図１０】
2016024338.tif 000014
【図１１】
2016024338.tif 000015
【図１２】
2016024338.tif 000016